(57)【要約】      （修正有）【課題】香水等の揮発性溶液の拡散量を簡単な構成で制御可能にした揮発性溶液拡散部付き携帯時計を提供する。【解決手段】腕時計本体のケース１３に円孔４１を形成する。円孔４１内に吸液部材４６を入れる。円孔４１の開口から香水等の揮発性溶液４７を入れて、吸液部材４６に保持させる。円孔４１の開口に栓４２を取り付ける。栓４２に拡散孔４５を形成する。拡散孔４５の断面積が異なる複数の栓４２をチェーンで連結してケース１３に付ける。複数の栓を選択的に用いて、香水の拡散量を制御する。簡単な構成で周囲に香気を拡散することができる。複数の栓４２の使い分けにより、使用状態に応じて香気の拡散量を制御することができる。【選択図】図３
0003144558.tif 000002
【実用新案登録請求の範囲】
【請求項１】
時刻表示機能を有するムーブメントと、
前記ムーブメントを収納するケースと、
前記ケースに形成される揮発性溶液の収納部と、
前記収納部へ前記揮発性溶液を注入するための注入口と、
前記注入口を塞ぐ栓と、
前記栓に形成され、前記揮発性溶液を拡散させる拡散孔とを備えることを特徴とする揮発性溶液拡散部付き携帯時計。
【請求項２】
前記栓を複数備え、各栓に形成される前記拡散孔はその断面積が異なっていることを特徴とする請求項１記載の揮発性溶液拡散部付き携帯時計。
【請求項３】
一端が前記ケースに接続され、他端が前記栓に接続されるチェーンを備えることを特徴とする請求項１または２記載の揮発性溶液拡散部付き携帯時計。
【請求項４】
前記チェーンは複数の栓を有することを特徴とする請求項３記載の揮発性溶液拡散部付き携帯時計。
【請求項５】
前記ケースは、前記栓を保持する栓保持孔を有することを特徴とする請求項１または２記載の揮発性溶液拡散部付き携帯時計。
【請求項６】
前記収納部は円孔から構成され、前記栓は前記円孔にねじ止めされることを特徴とする請求項１から５いずれか１項記載の揮発性溶液拡散部付き携帯時計。
【請求項７】
前記栓は、
栓本体と、
前記栓本体に回動自在に取り付けられる拡散量制御ダイヤルと、
前記栓本体に形成され、前記収納部に連通し、前記拡散量制御ダイヤルとの接触面に開口する複数の第１連通孔と、
前記拡散量制御ダイヤルに形成され、前記栓本体との接触面と該接触面と反対側の表面とを連通する複数の連通孔であり、該拡散量制御ダイヤルの回動位置に応じて、前記第１連通孔と第２連通孔とが重なって連通し前記拡散孔を構成する第２連通孔とを備えることを特徴とする請求項１から６いずれか１項記載の揮発性溶液拡散部付き携帯時計。
【請求項８】
前記拡散量制御ダイヤルの回動位置に対応させて、該回動位置での拡散量を示す拡散量表示部を有することを特徴とする請求項７記載の揮発性溶液拡散部付き携帯時計。
【請求項９】
前記収納部、前記注入口、前記栓、及び拡散孔を少なくとも複数組有し、前記各収納部に異なる種類の揮発性溶液を収納することを特徴とする請求項１から８いずれか１項記載の揮発性溶液拡散部付き携帯時計。
【請求項１０】
前記収納部、前記注入口、前記栓、及び拡散孔を少なくとも複数組有し、前記各収納部に同じ揮発性溶液を収納することを特徴とする請求項１から８いずれか１項記載の揮発性溶液拡散部付き携帯時計。
【請求項１１】
時刻表示機能を有するムーブメントと、
前記ムーブメントを収納する収納部を有するケースと、
前記収納部を避けた位置で前記ケースに形成される円孔からなる揮発性溶液の収納部と、
前記収納部へ前記揮発性溶液を注入するための注入口と、
前記注入口を塞ぐ栓と、
前記注入口とは反対側から外部に開口する前記揮発性溶液の拡散孔とを備えることを特徴とする揮発性溶液拡散部付き携帯時計。
【考案の詳細な説明】
【技術分野】
【０００１】
本考案は、腕時計のように身体に直接付けて、または懐中時計のように懐中に入れて持ち歩く携帯時計に関するもので、香水などの揮発性溶液拡散部を有する携帯時計に関するものである。
【背景技術】
【０００２】
時計を所持することで周囲に香気を付与するために、時計に香水等の揮発性溶液を貯留する空間部を設けた時計が特許文献１で提案されている。この時計は、時刻表示機能を有するムーブメントを収容するケースと、香水のような揮発性溶液を貯留するケースとを一体化して構成されている。この時計を用いることにより、時計を所持することで、周囲に香気を付与することができる。また、特許文献２には、ブレスレットまたは時計バンドに香水タンクを設けて、スイッチ機構により必要に応じて香水を噴霧することが提案されている。
【特許文献１】実用新案登録第３０８７３０２号公報
【特許文献２】実開平２−２６５０８号公報
【考案の開示】
【考案が解決しようとする課題】
【０００３】
上記特許文献１に記載の時計は、香水の吸収体を収納した空間部に、拡散用の放出孔を設けることで、周囲に香気を付与する。このため、拡散用の放出孔を設けるだけでよく、構成を簡単にすることができ、安価にて香水付与機能を有する時計を提供することができる。しかしながら、構成が簡単になった反面、香気が常に放出されることになり、香水の消費が多くなり、頻繁に香水の補充をする必要があった。また、香気を付与したくない雰囲気中でも上記香気が付与されてしまうため、使い勝手が悪いという問題があった。
【０００４】
特許文献２に記載の香水タンク付きブレスレットまたは時計バンドでは、必要に応じてスイッチ機構により香水を噴霧し、任意のタイミングで周囲に香気を付与することができる。しかし、香水を噴霧するためのスイッチ機構が必要になるため、構成が複雑になる分、安価に提供することができないという問題がある。また、噴霧による拡散であるため、一時的なものとなり、連続的な香気の付与はその都度、噴霧操作が必要になるという問題がある。さらに、可動部を必要とするため、小型化が図れず、可動部により故障原因となる懸念もある。
【０００５】
本考案は上記課題を解決するものであり、構成を簡単にして安価にて提供可能にし、また、香水等の揮発性溶液の揮発量を制御可能にした揮発性溶液拡散部付き時計を提供することを目的とする。
【課題を解決するための手段】
【０００６】
上記目的を達成するために、本考案は、時刻表示機能を有するムーブメントと、前記ムーブメントを収納するケースと、前記ケースに形成される揮発性溶液の収納部と、前記収納部へ前記揮発性溶液を注入するための注入口と、前記注入口を塞ぐ栓と、前記栓に形成され、前記揮発性溶液を拡散させる拡散孔とを備えることを特徴とする。本考案では、栓に揮発性溶液の拡散孔を形成することにより、ケースに単に孔を形成するだけで、揮発性溶液の収納部を構成することができ、構成を簡単にすることができる。
【０００７】
また、本考案は、前記栓を複数備え、各栓に形成される前記拡散孔はその断面積が異なっていることを特徴とする。拡散孔の断面積が異なる複数の栓を選択して用いることにより、香水などの揮発性容器の揮発量を制御することができる。また、断面積が「０」の拡散孔を有する栓（止め栓）を用いることで、香水などの拡散を停止することができる。したがって、雰囲気に応じて、香水などの揮発量を任意に選択することができる。
【０００８】
本考案は、一端が前記ケースに接続され、他端が前記栓に接続されるチェーンを備えることを特徴とする。また、前記チェーンは複数の栓を有することを特徴とする。さらには、前記ケースは、前記栓を保持する栓保持孔を有することを特徴とする。各栓をチェーンや保持孔を介してケースに付属させることで、使用しない栓を保管する必要もなく、しかもどこでも栓を交換することができるようになる。前記収納部は円孔から構成することにより、簡単に収納部を形成することができる。また、栓を円孔にねじ止めすることにより、確実且つ容易に栓を収納部に取り付けることができる。しかも、円孔であるので、揮発性溶液を吸液する吸液部材を押し込むだけでよく、その挿入が簡単になる。
【０００９】
本考案において、前記栓は、栓本体と、栓本体に回動自在に取り付けられる拡散量制御ダイヤルと、栓本体に形成され、前記収納部に連通し、前記拡散量制御ダイヤルとの接触面に開口する複数の第１連通孔と、前記拡散量制御ダイヤルに形成され、前記栓本体との接触面と該接触面と反対側の表面とを連通する複数の連通孔であり、該拡散量制御ダイヤルの回動位置に応じて、前記第１連通孔と第２連通孔とが重なって連通し前記拡散孔を構成する第２連通孔とを備えることを特徴とする。栓本体の第１連通孔と拡散量制御ダイヤルの第２連通孔との重なり合う開口面積を拡散量制御ダイヤルの回動にて変更することにより、工具などを不要として、簡単に拡散量を変更することができる。
【００１０】
また、本考案は、前記拡散量制御ダイヤルの回動位置に対応させて、該回動位置での拡散量を示す拡散量表示部を有することを特徴とする。拡散量表示部を有することにより、現在の拡散量を簡単に知ることができ、これを基準にして拡散量の変更を容易に行うことができる。
【００１１】
本考案は、時刻表示機能を有するムーブメントと、前記ムーブメントを収納する収納部を有するケースと、前記収納部を避けた位置で前記ケースに形成される円孔からなる揮発性溶液の収納部と、前記収納部へ前記揮発性溶液を注入するための注入口と、前記注入口を塞ぐ栓と、前記注入口とは反対側から外部に開口する前記揮発性溶液の拡散孔とを備えることを特徴とする。拡散孔を収納孔の注入口と反対側に形成することにより、収納部を形成する際に拡散孔も一緒に形成することができ、収納孔及び拡散孔の形成が容易になる。但し、拡散孔が常時開放タイプになるため、この場合には、拡散を止めることは不可能になるものの、拡散孔付き栓を用いることで、簡単に拡散量を増加させることができる。
【考案の効果】
【００１２】
本考案によれば、拡散開口の断面積を簡単に変更することができ、香水等の揮発性溶液の揮発量を変更することができる。このため、例えば、香気の付与が必要ではない雰囲気では揮発量を抑えることができるため、揮発性溶液の収納保持期間を伸ばすことができ、その分だけ、揮発性溶液の補充を減らすことができる。
【００１３】
また、拡散開口の断面積の変更により、拡散量を変更するため構成が簡単になり、その分だけ、故障発生などもなく、また製造コストも下げることができる。
【考案を実施するための最良の形態】
【００１４】
図１に示すように、本考案の腕時計１０は、腕時計本体１１と、時計バンド１２とから構成されている。図２に示すように、腕時計本体１１は、金属製のケース１３に、時刻表示のための時計機能を有するムーブメント１４及び香水拡散機構１５を取り付けて構成されている。
【００１５】
ケース１３は例えば円盤状に構成されており、中央部にムーブメント１４や文字盤１７，１８、指針１９を収納するための孔２１が形成されている。この収納孔２１は、中央部に仕切り板２２を備えている。この仕切り板２２は内側に向かって突出して収納孔２１内に段部２１ａを形成し、この段部２１ａに第１文字盤１７が固着される。また、ケース１３の周囲には、１対の時計バンド取付部２３や、リューズ保護部２４（図１参照）が突出して形成されている。
【００１６】
前記収納孔２１は、仕切り板２２及び第１文字盤１７により、裏側で開口する第１開口部２６と、表側で開口する第２開口部２７とに仕切られる。第１開口部２６には、ムーブメント１４が収納され、図示しないピンなどにより収納孔２１内で位置決め固定される。ムーブメント１４が収納された第１開口部２６には、裏蓋２９が嵌合により取り付けられ、ムーブメント１４が水密に第１開口部２６内に保持される。第２開口部２７には、第１文字盤１７、第２文字盤１８、指針１９及び透明板２８が取り付けられる。
【００１７】
第１文字盤１７は収納孔２１に嵌合する大きさで円板状に形成されており、表面には、分や秒を表示するための目盛りやブランド名称、機種名称などがプリントされている。また、第１文字盤１７の中央には、指針１９を動かすための軸３１が貫通する孔３２が形成されている。この貫通孔３２から前記軸３１が第２開口部２７側に突出し、この軸端に時針、分針、秒針などの指針１９が取り付けられる。
【００１８】
第２開口部２７には段部２７ａが形成されており、この段部２７ａには、段部２７ａと同じサイズの環状の第２文字盤１８が固着される。第２文字盤１８には時を表示するための目盛りや数字などがプリントされている。そして、この第２開口部２７には、文字盤１７，１８及び指針１９を覆うように、例えばサファイアガラスなどの透明板２８が水密に取り付けられる。また、ケース１３の側面には、ムーブメント１４を操作するためのリューズ３５が取り付けられている。
【００１９】
本考案の第１実施形態では、図１に示すように、香水拡散機構１５を、時計バンド取付部２３近くに配置している。このため、ケース１３には、前記収納孔２１と連通することがないように、香水収納用の例えば円孔４１が形成されている。
【００２０】
図２及び図３に示すように、香水拡散機構１５は、円孔４１と、この円孔４１の開口を塞ぐ栓４２とから構成されている。図１に示すように、円孔４１は、ケース１３のリューズ３５側の側部に開口し、時計バンド１２の取付ピン３９と略平行に、ケース１３に形成されている。図３に示すように、円孔４１の開口近くの内壁面には雌ねじ部４１ａが形成してある。
【００２１】
栓４２は、段付きの円筒体から構成されており、雄ねじ部４２ａ、摘み部４２ｂ、拡散孔４５を有する。雄ねじ部４２ａは、円孔４１の雌ねじ部４１ａに螺合し、栓４２をケース１３にねじ止めする。摘み部４２ｂは、栓４２の取り扱いが容易なように、雄ねじ部４２ａよりも大径で形成されており、外周に滑り止めの溝が形成してある。拡散孔４５は栓４２の軸芯に沿って形成されており、円孔４１の内部と外部とを連通する。栓４２にはオーリングなどからなるパッキン４３が取り付けられる。
【００２２】
円孔４１内には、綿などの吸液部材４６が収納されている。この吸液部材４６は、綿内や綿間に毛細管現象で香水などの揮発性溶液４７を保持する。揮発性溶液４７は、開口から注射器や極細タイプのスポイトなどを用いて、円孔４１内に注入される。そして、注入後に栓４２を円孔４１に取り付ける。栓４２には、拡散孔４５が形成してあるため、拡散孔４５を介して香気がケース１３の外に漏れるため、腕時計１０を付けている人の周りに香気を拡散させることができる。
【００２３】
この第１実施形態では、円孔４１と、この孔４１の開口を塞ぐ栓４２と、この栓４２に設けた拡散孔４５とから、香水拡散機構１５を構成しているため、従来のように、香水拡散機構１５に別個に拡散孔を設ける必要がなく、構成を簡単にすることができる。しかも、香水を拡散させたくないときには、拡散孔が無いタイプの栓６７（図５及び図６参照）で収納孔を塞ぐことで、拡散を止めることもできる。
【００２４】
図４に示すように、第２実施形態では、複数の香水拡散機構１５，６０を設けたものであり、第１実施形態の腕時計１０に対し、他方の時計バンド取付部２３の近くに、第１実施形態と同様に構成した第２香水拡散機構６０を形成している。これら複数の香水拡散機構１５，６０内には、同一香水または異なる香水が入れられる。同一香水を入れたときには、２個の香水拡散機構１５，６０を選択的に用いることで、香気を拡散させる時間を倍増することができる。また、２個の拡散孔を同時に用いることにより、拡散量を増加させることができる。また、拡散孔の断面積が異なる複数の栓を選択的に用いることにより、拡散孔の断面積を変えることができ、香水の拡散量を制御することができる。なお、第２実施形態以降の各実施形態において、第１実施形態と同一構成部材には同一符号を付して重複した説明を省略している。
【００２５】
また、複数の香水拡散機構１５，６０に、異なる香水を入れたときには、これらを選択的に拡散させることで、雰囲気に応じて２種類の香水を使い分けることができる。また、２種類の香水の拡散量を変えて、拡散させることにより、２種類の香水をブレンドした香気を楽しむこともできる。
【００２６】
図５に示すように、第３実施形態は、第１実施形態における栓４２の他に、拡散孔の開口面積を変えた異なる栓６７を用い、これら栓４２，６７をチェーン６６で連結して、腕時計本体１１に付属させた腕時計６８である。チェーン６６の一端はケース１３に取付リング６９を介して固定されている。この腕時計６８では、複数の栓４２，６７が常時付属した状態で携帯されるため、任意のタイミングで栓４２，６７を交換することにより、香水等の拡散量を制御することができる。
【００２７】
この第３実施形態では、拡散孔４５を有する栓４２の他に、拡散孔が無い栓６７をチェーン６６で保持し、これら各栓４２，６７の一方を用いて円孔４１の開口を塞ぐ。この第３実施形態では、用いる栓４２，６７を選択して使用することにより、香水を拡散させる使用態様と香水を拡散させない使用態様とを選択することができる。また、拡散孔が無い栓６７の代わりに、拡散孔の断面積を栓４２のものと変えた栓を用いてもよく、この場合には、拡散量を２段階に変更することができる。なお、この第３実施形態において、チェーン６６に保持する栓の数量は特に限定されない。また、上記第１実施例において、栓４２の紛失を防止するために、第２実施形態と同様に、チェーン６６を用いて、栓４２が腕時計本体から離れることがないようにしてもよい。
【００２８】
図６に示すように、第４実施形態は、拡散量が異なる栓４２，６７，７０をチェーン６６で保持する代わりに、ケース１３に設けた保持孔７１，７２に取り付けておくようにした腕時計７３である。なお、栓６７は拡散孔が形成されておらず、この栓６７を用いることにより、香水等の拡散を停止させることができる。また、栓７０は、栓４２の拡散孔４５とは断面積が異なる拡散孔を有する。本実施形態では、チェーン６６などが不要になり、構成が更に簡単になる。
【００２９】
図７〜図９に示すように、第５実施形態では、上記のように、拡散孔４５の開口面積を変えた複数の栓４２，６７，７０を用いる代わりに、１つの栓８０で拡散孔８１（ハッチングエリア）の開口面積を変えるようにしたものである。図８に示すように、拡散量制御栓８０は、栓本体８２と、拡散量制御ダイヤル８３と、このダイヤル８３を栓本体８２に回動自在に取り付ける取付軸８４とから構成されている。
【００３０】
栓本体８２は外周に、円孔４１の雌ねじ部４１ａにねじ止めするための雄ねじ部８２ａが形成されている。また、栓本体８２の中心線に沿って拡散量制御ダイヤル８３を取り付けるための取付軸固定用ねじ孔８２ｂが形成されている。さらに、図７（Ｂ）に示すように、ねじ孔８２ｂを中心とする同心円上で略等しいピッチで３個の第１連通孔８５ａ，８５ｂ，８５ｃが形成されている。これら第１連通孔８５ａ〜８５ｃは、円孔４１の内部を外部に連通するもので、一端が円孔内側に開口し、他端が拡散量制御ダイヤル８３の接触面に開口している。本実施形態では、３個の第１連通孔８５ａ〜８５ｃの周方向ピッチは、最下部の第１連通孔８５ａを基準にして、時計方向への各連通孔のピッチ角度θ１，θ２，θ３は、θ１が１１２．５度、θ２が１２０度、θ３が１２７．５度である。
【００３１】
図７（Ｃ）に示すように、拡散量制御ダイヤル８３は円板から構成され、中心に軸孔８３ａが形成されている。また、軸孔８３ａを中心とする同心円上で略等しいピッチで３個の第２連通孔８６ａ，８６ｂ，８６ｃが形成されている。第２連通孔８６ａ〜８６ｃは、前記栓本体８２の接触面と、該接触面と反対側の表面とを連通する。第２連通孔８６ａ〜８６ｃは第１連通孔８５ａ〜８５ｃの約１／２の直径で形成されている。また、３個の第２連通孔８６ａ〜８６ｃの周方向ピッチθ４〜θ６は、最下部の第２連通孔８６ａを基準にして、時計方向への各連通孔のピッチ角度θ４が１２７．５度、θ５が１２０度、θ６が１１２．５度である。
【００３２】
これら第２連通孔８６ａ〜８６ｃは、拡散量制御ダイヤル８３の回動位置に応じて、前記第１連通孔８５ａ〜８５ｃと重なった位置となることにより連通し、この重なりあった第１及び第２連通孔８５ａ〜８５ｃ，８６ａ〜８６ｃにより拡散孔８１（図７（Ａ）参照）が構成される。
【００３３】
図８に示すように、拡散量制御ダイヤル８３は取付軸８４により栓本体８２に回動自在に取り付けられている。この拡散量制御ダイヤル８３と栓本体８２との間には、図示しないクリック機構が設けられている。クリック機構は、ダイヤル８３を例えば７．５度の間隔で間欠的に回動停止するようなクリック機能を有する。このクリック機構により、拡散量制御ダイヤル８３は、図７（Ａ）に示すように３個の第２連通孔８６ａ〜８６ｃを用いた最大拡散量位置、図９（Ａ）に示すように２個の第２連通孔８６ｂ，８６ｃを用いた中程度の拡散量位置、図９（Ｂ）に示すように１個の第２連通孔８６ａを用いた小程度の拡散量位置、図９（Ｃ）に示すように、第２連通孔８６ａ〜８６ｃを１つも用いない拡散停止位置に選択的にセットされる。
【００３４】
図７（Ａ）に示すように、前記拡散量制御ダイヤル８３の回動位置に対応させて、該回動位置での拡散量を示す拡散量表示部９０を有する。拡散量表示部９０は、拡散量制御ダイヤル８３の回動停止位置を示すもので、取付軸８４に設けた例えば三角形のマークからなる指標マーク９１と、拡散量制御ダイヤル８３の表面に形成した「０」〜「３」の数字マーク９２とから構成されている。
【００３５】
なお、数字マーク９２に代えて、ドットマークとしてもよく、この場合には「０」の場合にはドット無し、「１」の場合には「ドット１個」、「２」の場合には「ドット２個」、「３」の場合には「ドット３個」のような表示にする。また、拡散量が大きくなるに従い、直径を大きくしたドットで拡散量を表示してもよい。
【００３６】
拡散量を制御する場合には、拡散量制御ダイヤル８３を回動して、三角形の指標マーク９１が所望の数字を指すように、セットする。例えば、図７（Ａ）の状態から、反時計方向に１クリック分（７．５度）だけ拡散量制御ダイヤル８３を回動して、図９（Ａ）の状態にすると、３個の連通孔８６ａ〜８６ｃの内、２個の第２連通孔８６ｂ，８６ｃが第１連通孔８５ｂ，８５ｃと連通することになり、図７（Ａ）の状態に比べて拡散孔８１の断面積が２／３と少なくなり、その分だけ拡散量が減少する。
【００３７】
また、図９（Ａ）の状態から拡散量制御ダイヤル８３を時計方向に２クリック分（１５度）回動して、図９（Ｂ）の状態にすると、３個の第２連通孔８６ａ〜８６ｃの内、１個の第２連通孔８６ａが第１連通孔８５ａと連通することになり、図７（Ａ）の状態に比べて拡散孔８１の断面積が１／３と少なくなり、その分だけ拡散量が減少する。
【００３８】
更に、図９（Ｂ）の状態から拡散量制御ダイヤル８３を時計方向に１クリック分だけ回動して図９（Ｃ）の状態にすると、３個の全ての第２連通孔８６ａ〜８６ｃがいずれの第１連通孔８５ａ〜８５ｃと重なり合うことがなくなり、拡散孔８１は閉じられて、香水の拡散が防止される。
【００３９】
このように、拡散量制御ダイヤル８３を回転することにより、拡散孔８１の断面積を変化させて、香水の揮発量を制御することができる。したがって、香気をより多く揮発させたいときには、拡散量制御ダイヤル８３を「３」の位置にし、少なくしたいときには、「２」または「１」の位置にし、拡散を止めたいときには「０」の位置にして、任意の拡散量に設定することができる。
【００４０】
なお、２組の連通孔８５ａ〜８５ｃ及び８６ａ〜８６ｃの重なり具合を変えることで拡散孔８１の断面積を変更し、拡散量を制御するようにしたが、拡散孔の断面積を変えることができる形態であればよく、上記の態様に限定されるものではない。例えば、拡散孔を斜めに覆う遮蔽板を回転又はスライドさせることで、遮蔽板による遮蔽エリアを増減させることにより、拡散孔の断面積を変更させてもよい。さらには、拡散孔に絞り機構を設けることにより、拡散孔の断面積を変更させてもよい。
【００４１】
また、上記各実施形態において、香水収納用空間として円孔４１を用いたが、これは任意の形状でよく、例えば、ケース１３内の肉厚部に空洞を形成することにより、香水収納孔としてもよい。
【００４２】
図１０に示すように、第６実施形態は、拡散孔９４を香水収納用の円孔９５と略同時に形成することにより、構成を簡単にした腕時計９６である。先ず、ケース１３に円孔９５を形成した後に、円孔９５を形成したドリルよりも小径のドリルを用いて、円孔９５の先端に更に小孔を開けることにより、この小孔により拡散孔９４を簡単に構成することができる。この場合には、上記実施形態のように、拡散孔付きの栓４２を用いることにより、拡散孔の断面積を変更して、香水などの拡散量を増加させることができる。また、拡散孔無しの栓を用いることにより、拡散孔の断面積を最小として、香水の拡散量を抑えることができる。なお、拡散孔９４及び円孔９５は同時に形成してもよい。
【００４３】
本考案において、ケース１３及びムーブメント１４の形状や取付方法は特に限定されない。ムーブメント１４は時刻を表示するための機能があればよく、その構成はどのようなものであってもよい。例えば、文字盤や指針付きのムーブメントや、更に透明板付きのムーブメント、竜頭付きのムーブメントであってもよい。また、これらムーブメントの取り付け方法やケースの開口部も、ムーブメントの形態に応じて適宜変更してもよい。また、時刻の表示方式はアナログ方式の他にデジタル方式であってもよい。
【００４４】
上記各実施形態では、腕時計を例にとって説明したが、本考案はこれに限られず、懐中時計のように携帯するものに対して実施してもよい。この場合には、腕時計本体１１のバンド取付部２３の代わりに、鎖取付部を形成する。また、ケースにムーブメント収納部とは別個に香水などの揮発性溶液を収納する空間を例えば円孔などにより形成し、この円孔に対し、上記各実施形態と同じようにして、拡散孔付きの栓を設ける。
【００４５】
また、上記各実施形態では、香水収納用の空間として、円孔４１を用いているが、これに限られず、香水などの揮発性液体が収納可能な空間であればよい。例えば、ケース１３に、ムーブメント収納孔とは別個に設けた開口を用いて香水収納空間としてもよい。この場合には、裏蓋を被せることで、水密な香水収納部を形成するように、裏蓋とケースとの間にオーリングなどのパッキンを配置する。
【００４６】
上記各実施形態では、揮発性溶液として香水を用いたが、これは揮発性を有する液体であればよく、他の例えば、蚊よけや虫よけ用の害虫忌避剤、その他の各種揮発性溶液を入れて、これら溶液を揮発させることで、溶液が有する機能を発揮させてもよい。
【図面の簡単な説明】
【００４７】
【図１】本考案の第１実施形態を示す腕時計の正面図である。
【図２】第１実施形態の腕時計本体の一部を切り欠いてしめす側面図である。
【図３】第１実施形態の香水拡散機構を示す断面図である。
【図４】複数の香水拡散機構を有する本考案の第２実施形態を示す腕時計の裏面図である。
【図５】拡散孔の断面積が異なる複数の栓をチェーンで保持する本考案の第３実施形態を示す正面図である。
【図６】拡散孔の断面積が異なる複数の栓をケースにねじ止めして保持する本考案の第４実施形態を示す正面図である。
【図７】拡散量制御栓を有する本考案の第５実施形態を示す正面図であり、（Ａ）は使用状態で最大拡散量にセットされた状態を、（Ｂ）は栓本体に形成した第１連通孔を、（Ｃ）は拡散量制御ダイヤルに形成した第２連通孔をそれぞれ示している。
【図８】図７（Ａ）のVIII−VIII線に沿う拡散量制御栓の断面図である。
【図９】第５実施形態における拡散量制御栓の拡散量制御位置を示すもので、（Ａ）は中程度の拡散状態を、（Ｂ）は小程度の拡散状態を、（Ｃ）は拡散を停止した状態をそれぞれ示している。
【図１０】第６実施形態における香水拡散機構を示す断面図である。
【符号の説明】
【００４８】
１０  腕時計
１１  腕時計本体
１２  時計バンド
１３  ケース
１４  ムーブメント
１５  香水拡散機構
２６，２７  開口部
２８  透明板
２９  裏蓋
３５  リューズ
４１  円孔
４２  栓
４５  拡散孔
４６  吸液部材
４７  揮発性溶液
６０  第２香水拡散機構
６６  チェーン
６８，７３  腕時計
８０  栓
８１  拡散孔
８２  栓本体
８３  ダイヤル
８４  取付軸
８５ａ〜８５ｃ  第１連通孔
８６ａ〜８６ｃ  第２連通孔
９０  拡散孔
９１  指標マーク
９２  数字マーク
【図１】
0003144558.tif 000003
【図２】
0003144558.tif 000004
【図３】
0003144558.tif 000005
【図４】
0003144558.tif 000006
【図５】
0003144558.tif 000007
【図６】
0003144558.tif 000008
【図７】
0003144558.tif 000009
【図８】
0003144558.tif 000010
【図９】
0003144558.tif 000011
【図１０】
0003144558.tif 000012